(57)【要約】【課題】衝撃吸収性が高く、それでいて通気性に優れており、軽量でデザイン的にも自由度の高い保護帽子とその製造方法を提供する。【解決手段】少なくとも４．０ｃｆｍ以上の通気度を有すると共に、反発弾性率が２０％以下である軟質ポリウレタンフォームを山部１ｂの内層２として備えた保護帽子。【選択図】図１
2006307366.tif 000002
【特許請求の範囲】
【請求項１】
少なくとも４．０ｃｆｍ以上の通気度を有すると共に、反発弾性率が２０％以下である軟質ポリウレタンフォームを山部の内層として備えた保護帽子。
【請求項２】
少なくとも４．０ｃｆｍ以上の通気度を有すると共に、反発弾性率が２０％以下である軟質ポリウレタンフォームを内層とし、その表面を布地により被覆した山部を形成する保護帽子の製造方法。
【発明の詳細な説明】
【技術分野】
【０００１】
本発明は保護帽子とその製造方法に関し、詳しくは、衝撃吸収層を内層に備えた保護帽子とその製造方法に関する。
【背景技術】
【０００２】
工場内作業や工事現場作業などに広く使用されるヘルメットは、軽量で衝撃吸収機能を備えており、優れた機能を有するものの、これらヘルメットを日常生活に使用するには、外観形状が大きく取り扱い難いことの他、通気性が悪く、着用時に蒸れたりするため、快適性に優れるものではない。
【０００３】
そこで、硬質シェル内部に緩衝材を貼り付け保護機能をもたせると共に、デザインの自由度をある程度有する保護帽子が提案されている（例えば、特許文献１）。
【０００４】
【特許文献１】特開２００３−１２９３２４号公報
【発明の開示】
【発明が解決しようとする課題】
【０００５】
しかしながら、上記従来技術では、デザインの自由度はあるものの衝撃吸収性が必ずしも十分ではなく、より保護機能の高い保護帽子に対する要請は強いものがある。
【０００６】
そこで、本発明の目的は、上記従来技術の有する問題点に鑑みて、衝撃吸収性が高く、それでいて通気性に優れており、軽量でデザイン的にも自由度の高い保護帽子とその製造方法を提供することにある。
【課題を解決するための手段】
【０００７】
上記課題は、請求項記載の発明により達成される。すなわち、本発明に係る保護帽子の特徴構成は、少なくとも４．０ｃｆｍ以上の通気度を有すると共に、反発弾性率が２０％以下である軟質ポリウレタンフォームを山部の内層として備えたことにある。
【０００８】
この構成によれば、高い通気度を有していて、しかも反発弾性率が２０％以下であることから、緩衝材として好ましい衝撃吸収性を発揮し得るため、高温高湿の環境下で長時間被帽したとしても、蒸れ難く快適性に優れ、もとより軽量性があり、殊更外観が大きくなるものではないため、デザインの自由度が高く、デザイン性に優れた保護帽子となる。通気度が４．０ｃｆｍ未満では通気性に劣り、特に夏季などでは長時間被帽すると、快適性に劣る。より好ましくは、通気度が４．５ｃｆｍ以上である。反発弾性率が２０％を越えると、着用者に衝撃が伝わり易くなり、衝撃吸収性に劣る。反発弾性率は、０．１〜１０％であることがより好ましい。
【０００９】
その結果、衝撃吸収性が高く、それでいて通気性に優れており、軽量でデザイン的にも自由度の高い保護帽子を提供することができた。
【００１０】
本発明に係る保護帽子の製造方法の特徴構成は、少なくとも４．０ｃｆｍ以上の通気度を有すると共に、反発弾性率が２０％以下である軟質ポリウレタンフォームを内層とし、その表面を布地により被覆した山部を形成することにある。
【００１１】
この構成によれば、衝撃吸収性が高く、それでいて通気性に優れており、軽量でデザイン的にも自由度の高い保護帽子の製造方法を提供することができる。
【発明を実施するための最良の形態】
【００１２】
本発明の実施形態を、図面を参照して詳細に説明する。図１は、本実施形態に係る保護帽子の外観構成を示し、図２はその断面構造を示す。
【００１３】
この保護帽子１は、その一例としてアウトドアその他の用途（釣り、ゴルフ、ハイキング、スポーツ観戦など。以下、アウトドア用と総称する）に使用される縁無しの帽子であり、目びさし１ａと山部１ｂとから構成されていて、外郭全体が布製からなっている。したがって、保護帽子１の外観自体は、通常のアウトドア用帽子と同様な軽量性、通気性、デザイン性などを備えている。
【００１４】
一方、保護帽子１の内側は、所定厚みを有する低反発性軟質ポリウレタンフォームからなる内層２が貼着されており、衝撃吸収機能が付与されている。この内層２は、５〜１０ｍｍ程度の厚みを有していて、反発弾性率が２０％以下、好ましくは０．１〜１０％程度の低反発性軟質ポリウレタンフォームの中でも、特に連通孔が多数設けられた超高通気性低反発性軟質ポリウレタンフォーム（以下、超高通気性低反発ポリウレタンフォームということがある）を用いることが好ましい。
【００１５】
超高通気性低反発ポリウレタンフォームは、通常の低反発性軟質ポリウレタンフォームよりも一層高い通気性を有するという特徴を有しており、高温多湿な環境での長時間の被帽にも蒸れにくく、快適に着用できる利点を有する。
【００１６】
次に、本実施形態に使用される超高通気性低反発ポリウレタンフォームについて説明する。
【００１７】
この超高通気性低反発ポリウレタンフォームは、ポリオール化合物として平均官能基数が２．５〜３．５、平均分子量が２０００〜６０００のプロピレンオキサイドとエチレンオキサイドの共重合体であって、エチレンオキサイドの含有率が５０〜９０重量％のポリオール化合物を使用することにより製造することができる。プロピレンオキサイドとエチレンオキサイドの共重合体ポリオール化合物は、ブロック共重合体であることが好ましい。係るポリオール化合物としては、一例として、商品名アクトコール  ＬＲ−００（三井武田ケミカル（株）製）を使用することができる。
【００１８】
ポリオール化合物は発泡剤、整泡剤、アミン触媒などと混合してポリオール成分とし、ポリイソシアネート化合物を主成分とするイソシアネート成分（例えばＴＤＩ−８０）を用い、発泡機を使用してポリオール成分とイソシアネート成分とを混合して発泡原液組成物とし、これをノズルから型内に吐出して所定形状に成形する方法や、スラブフォームを作製して裁断加工する方法によって、例えば図１，２に内層として示すような、成形体を得る。
【００１９】
そして、かかる工程より製造された超高通気性低反発ポリウレタンフォーム製の内層を、通常の帽子製造工程に従って、布製袋状の外郭に収容して山部１ｂを形成すると共に、これに目びさし１ａを縫製して保護帽子を製造する。
【実施例】
【００２０】
上記超高通気性低反発ポリウレタンフォームを用いて、図１，２に示す保護帽子を製造して、従来のアウトドア用帽子と比較した。
（実施例１）
超高通気性低反発ポリウレタンフォームとして、表１に示す原液組成物を用いた。その通気度（ｃｆｍ）を、ＤＯＷ法にて測定した。この通気度試験方法は、ＡＳＴＭ  Ｄ−１５６４に準拠する方法であり、製造した超高通気性低反発ポリウレタンフォームから縦５０ｍｍ、横５０ｍｍ、厚み２５ｍｍの試験片を３箇所切り出して採取し、ＦＬＵＩＤ  ＤＡＴＡ社製の通気度測定器を用いて計測した。
【００２１】
【表１】
2006307366.tif 000003
【００２２】
（比較例１）
市販の低反発ポリウレタンフォーム材（東洋ゴム工業（株）製。汎用低反発フォーム  ＃ＬＲＺ−７５）を用いて、実施例１と同様に図１，２に示す内層を形成した。
【００２３】
実施例１、比較例１の通気度試験の測定結果を、表２に示す。
【００２４】
【表２】
2006307366.tif 000004
【００２５】
表２の結果より、実施例１の場合、比較例１に比べて２倍以上の通気度を有していて、実施例１の超高通気性低反発ポリウレタンフォームを用いた保護帽子は、高温多湿な環境での長時間の被帽にも蒸れ難く、快適に着用できる。実際に、上記保護帽子を製造して試用したところ、夏季の炎天下で長時間着用しても、従来の帽子に比べて格段に快適であった。
【００２６】
〔別実施の形態〕
（１）保護帽子１の外郭を構成する山部１ｂと内層２とに、小径の貫通孔を適宜な数だけ分散・形成していてもよい。そして、これら小径貫通孔の縁に、金属製鳩目などが取り付けられていてもよい。
（２）上記実施形態では、目びさしを有する縁無しの帽子（いわゆる、キャップ）を例に上げて説明したが、本発明はこれに限定されるものではなく、山部の底部全周にわたり縁ありの帽子（いわゆる、ハット）としても適用できる。
【図面の簡単な説明】
【００２７】
【図１】本発明の一実施形態に係る保護帽子の全体を示す斜視図
【図２】図１の保護帽子の縦断面図
【符号の説明】
【００２８】
１ｂ      山部
２        内層
【図１】
2006307366.tif 000005
【図２】
2006307366.tif 000006